(57)【特許請求の範囲】
【請求項１】
複数の壁部を有した筐体と、
挿通口を有し上記筐体内に脱着自在に取り付けられたブラケットと、
上記挿通口を通して上記ブラケット内に挿入および取出し可能な記憶装置と、を備え、
上記記憶装置は、突起部が突設された第１壁と、上記第１壁と対向しているとともにねじ孔が設けられた第２壁と、を備え、
上記ブラケットは、上記記憶装置がブラケットの所定位置に挿入された際、上記突起部と係合して上記記憶装置を保持する係合部と、上記記憶装置のねじ孔と対向する位置に設けられたねじ止め用の透孔と、を有し、
上記ブラケットの係合部は、ブラケットの一部を内側に切起した切起し部と、上記切起し部に形成され上記ブラケットの挿通口に向かって開口しているとともに上記突起部の一部を挿通可能なスリットと、を有し、
上記記憶装置は、上記突起部と係合部との係合、および上記ねじ止め用の透孔を通して上記ねじ孔にねじ込まれた固定ねじにより上記ブラケット内の所定位置に保持されていることを特徴とする電子機器。
【請求項２】
上記突起部は、鍔部を有しているとともに上記記憶装置の第１壁部にねじ込まれた鍔付きねじを備えていることを特徴とする請求項１に記載の電子機器。
【請求項３】
上記筐体の壁部は、上記ブラケットのねじ止め用の透孔と整列して設けられたドライバ挿通用の挿通孔を有していることを特徴とする請求項６又は７に記載の電子機器。
【請求項４】
上記記憶装置は、上記第１壁および第２壁と交差して延びた第３壁、および上記第３壁に形成された他のねじ孔を有し、
上記ブラケットは、上記記憶装置がブラケットの所定位置に挿入された際、上記記憶装置の他のねじ孔と対向する位置に設けられたねじ止め用の透孔を有していることを特徴とする請求項１に記載の電子機器
【請求項５】
上記ブラケットは、上記筐体の壁部内面に当接しているとともに上記壁部にねじ止めされたフランジを備えていることを特徴とする請求項１に記載の電子機器。
【請求項６】
上記ブラケットは、上記記憶装置を複数並べて収納可能な大きさに形成されているとともに、上記記憶装置の挿入および取出しをガイドするとともにブラケットに対する各記憶装置の装着位置を規制するガイド突部を備えていることを特徴とする請求項１に記載の電子機器。
【請求項７】
上記ブラケットは、上記記憶装置の挿入方向に沿って上記係合部と並んで設けられているとともに上記記憶装置の第１壁に係合可能に形成され上記ブラケットに対して上記記憶装置を位置決めする位置決め部を備えていることを特徴とする請求項１に記載の電子機器。
【発明の詳細な説明】
【０００１】
【発明の属する技術分野】
この発明は、ハードディスクドライブ等の記憶装置を固定するための記憶装置固定用ブラケットを備えた電子機器に関する。
【０００２】
【従来の技術】
電子機器として、例えば、デスクトップコンピュータの本体は矩形箱状の筐体を備え、この筐体内には、種々の電子部品、ＣＤドライブ、ハードディスクドライブ（以下、ＨＤＤと称する）、フロッピー（登録商標）ディスクドライブ等の記憶装置等が収納されている。
【０００３】
この内、ＨＤＤは、例えば、特開平６−３０９８５９号公報に開示されているように、矩形枠状の専用ブラケットに複数のねじによって固定され、このブラケットをコンピュータ本体の筐体内に固定することにより配設されている。
【０００４】
【発明が解決しようとする課題】
上記構成のコンピュータにおいて、ＨＤＤの取り付け、交換、あるいはＨＤＤの増設時、一旦専用ブラケットを筐体から取り外し、更に、専用ブラケットからＨＤＤを取り外し、あるいは、専用ブラケットにＨＤＤを取り付ける必要がある。そのため、組立て、交換、リサイクルの際、作業性が低く、ユーザにとっても操作が面倒となる。
【０００５】
この発明は、以上の点に鑑みなされたもので、その目的は、記憶装置の取り付けおよび取り外しを容易に行うことが可能な記憶装置固定用ブラケットを備えた電子機器を提供することにある。
【０００７】
【課題を解決するための手段】
上記目的を達成するため、この発明の一態様に係る電子機器は、複数の壁部を有した筐体と、挿通口を有し上記筐体内に脱着自在に取り付けられたブラケットと、上記挿通口を通して上記ブラケット内に挿入および取出し可能な記憶装置と、を備え、
上記記憶装置は、突起部が突設された第１壁と、上記第１壁と対向しているとともにねじ孔が設けられた第２壁と、を備え、
上記ブラケットは、上記記憶装置がブラケットの所定位置に挿入された際、上記突起部と係合して上記記憶装置を保持する係合部と、上記記憶装置のねじ孔と対向する位置に設けられたねじ止め用の透孔と、を有し、
上記ブラケットの係合部は、ブラケットの一部を内側に切起した切起し部と、上記切起し部に形成され上記ブラケットの挿通口に向かって開口しているとともに上記突起部の一部を挿通可能なスリットと、を有し、
上記記憶装置は、上記突起部と係合部との係合、および上記ねじ止め用の透孔を通して上記ねじ孔にねじ込まれた固定ねじにより上記ブラケット内の所定位置に保持されていることを特徴としている。
【０００８】
上記構成の電子機器によれば、ブラケットに対して記憶装置を取付ける際、記憶装置の片側を突起部によって保持し、他側のみをねじ止めする構成としたことから、ブラケットを取り外すことなく、記憶装置を容易に脱着することが可能となる。
【０００９】
【発明の実施の形態】
以下図面を参照しながら、この発明の実施の形態に係るデスクトップ型のコンピュータについて詳細に説明する。
図１ないし図３に示すように、コンピュータの本体は複数の壁部を有した矩形箱状の筐体１０を備えている。この筐体１０は、壁部として、ほぼ垂直に延びたフロントパネル１２、リアパネル１４、平行に対向した一対のサイドパネル１６、水平に延びたトップパネル１８およびボトムパネル２０を有している。
【００１０】
筐体１０内にはＣＤドライブ２２、およびフォロッピディスクドライブ２４が配設され、これらドライブのフロントパネルは、筐体１０のフロントパネル１２の上半部に露出して配置されている。
【００１１】
また、筐体１０内には、記憶装置としてのハードディスクドライブ（以下ＨＤＤと称する）３０を装填するためのＨＤＤ装填部が設けられている。図２ないし図６に示すように、ＨＤＤ装着部は、筐体１０の内面、例えば、一方のサイドパネル１６の内面に脱着自在に取付けられたブラケット３２を備えている。
【００１２】
まず、ＨＤＤ３０について説明すると、ＨＤＤは扁平な矩形状のケース３４を有し、第１および第２壁として機能するケースの長辺側の各側壁には、長手方向に間隔を置いて３つのねじ孔３５が形成されている。また、第３壁として機能するケース３４の底壁には、所定の間隔を置いて４つのねじ孔３６が形成されている。
【００１３】
そして、一方の側壁に形成されたねじ孔３５の内、中央のねじ孔には鍔部を有した鍔付きねじ３８がねじ込まれている。この際、鍔付きねじ３８は、その鍔部がケース３４の側面と所定の隙間を置いて対向している。そして、鍔付きねじ３８は、ケース３４の側面から突出した突起部を構成している。
【００１４】
一方、ブラケット３２は、角筒形状に形成されているとともに、２つのＨＤＤ３０をほぼ垂直に立てた状態で収納可能な大きさに形成されている。そして、ブラケット３２は、軸方向一端部に設けられたフランジ４０を筐体１０のサイドパネル１６に係合させ、かつ、例えば３本の固定ねじ４１により、フランジ４０に形成された透孔を通してねじ止めすることにより、サイドパネル１６に対して脱着自在に取付けられている。
【００１５】
また、ブラケット３２は、筐体１０に取付けられた状態において、筐体のトップパネル１８とほぼ平行に対向した天壁４４、筐体のボトムパネル２０とほぼ平行に対向した底壁４５、筐体のフロントパネル１２と隣接対向した前壁４６、および前壁と所定の隙間を置いてほぼ平行に対向した後壁４７と、を備えている。そして、ＨＤＤ３０は、ブラケット３２の他端開口、つまり、挿通口３２ａを通してブラケット内へ脱着可能であり、両側面がそれぞれブラケット３２の天壁４４および底壁４５と対向するようにほぼ垂直に立てた状態でブラケット内に装着される。
【００１６】
ブラケット３２の底壁４５内面の中央には細長いガイド突部４８が形成され、ブラケットの長手方向に延びている。このガイド突部４８は、ブラケット３２に対するＨＤＤ３０の装填をガイドするとともに、２つのＨＤＤを装着可能なように、ブラケットに対する各ＨＤＤの装着位置を規制している。また、底壁４５には、１つのＨＤＤに対して２つの透孔５０がブラケット３２の長手方向に離間して形成されている。これらの透孔５０は、ＨＤＤ３０をブラケット３２に対して所定位置に装着した際、ＨＤＤの側面に形成された２つのねじ孔３５、特に、鍔付きねじ３８の設けられていない側の側面に形成された２つのねじ孔３５と整列する位置に形成されている。
【００１７】
ブラケット３２の後壁４７には４つの透孔５４が形成されている。これらの透孔５４は、ＨＤＤ３０をブラケット３２に対して所定位置に装着した際、ＨＤＤのケース底面に形成された４つのねじ孔３６と整列する位置に形成されている。
【００１８】
図４ないし図７に示すように、ブラケット３２の天壁４４には、天壁を部分的にブラケット内方へ切り起すことにより、各ＨＤＤに対応して２つの切起し部が形成され、ブラケットの長手方向に離間して位置している。ブラケット３２の挿通口３２ａ側に位置した切起し部はスリット５２を有し、このスリットはブラケットの長手方向に伸びているとともにブラケットの挿通口３２ａに向かって開口している。そして、スリット５２を有した切起し部は、後述するように、ＨＤＤ３０の鍔付きねじ３８が係合する係合部６０を構成している。また、他方の切起し部は、装填されたＨＤＤ３０の側面に当接することによりＨＤＤを位置決めする位置決め部６１を構成している。
【００１９】
更に、図２および図８に示すように、筐体１０のボトムパネル２０にはそれぞれドライバを挿通可能な４つの挿通孔５５が形成されている。これらの挿通孔５５は、ブラケット３２の底壁４５に形成された４つの透孔５０とそれぞれ整列して設けられている。それにより、筐体１０の底壁外方から挿通孔５５を通してドライバを挿通することにより、筐体の外側からブラケット３２の透孔５０にアクセスすることができる。
【００２０】
上記のように構成されたコンピュータにおいて、ＨＤＤ３０を筐体１０内に装着する場合、筐体１０の一方のサイドパネル１６を取り外した状態で、ブラケット３２を筐体内に挿入した後、他方のサイドパネルの内面にねじ止めする。この場合、３本の固定ねじ４１により、ブラケット３２の一端部を３箇所でサイドパネル１６にねじ止めする。
【００２１】
続いて、図６および図７に示すように、ブラケット３２の挿通口３２ａからＨＤＤ３０をブラケット内に挿入する。その際、ＨＤＤ３０は、ケース３４の側面の内、鍔付きねじ３８が取付けられている側面がブラケット３２の天壁４４内面と対向するように、かつ、ケース３４の他方の側面がブラケット３２の底壁４５内面と対向するように、挿入する。同時に、ガイド突部４８をガイドとして使用し、このガイド突部の左右いずれかの領域に挿入する。
【００２２】
そして、ブラケット３２に対してＨＤＤ３０を所定位置の近傍まで挿入すると、鍔付きねじ３８の頭部がブラケット３２の対応する係合部６０と係合し、ＨＤＤ３０をブラケット内に保持する。すなわち、ＨＤＤ３０の挿入に伴い、鍔付きねじ３８の一部は係合部６０のスリット５２内に入り込む。同時に、鍔付きねじ３８の鍔部は係合部６０の上面と係合する。更に、ケース３４の先端部側面がブラケット３２の位置決め部６１に当接することにより、ＨＤＤ３０は自動的にブラケット内の所定位置に位置決めされる。
【００２３】
上記のようにしてＨＤＤ３０をブラケット３２の所定位置に装填した後、図７および図８に示すように、筐体１０のボトムパネル２０に設けられた挿通孔５５を利用して、筐体の外側から固定ねじ５７およびドライバを挿通し、更に、ブラケット３２の底壁４５に形成された透孔５０を通して、固定ねじ５７をＨＤＤ３０側面のねじ孔３５にねじ込む。これにより、所定位置に装填されたＨＤＤ３０をブラケット３２にねじ止め固定する。
【００２４】
なお、ＨＤＤ３０側面のねじ孔３５を利用する代わりに、図６に示すように、ブラケット３２の後壁４７に形成された透孔５４を通して、ＨＤＤ３０底面のねじ孔３６に固定ねじ６４をねじ込むことで、ＨＤＤをねじ止めすることもできる。
【００２５】
また、ブラケット３２は、２台のＨＤＤ３０を装着可能の形成されている。そのため、コンピュータの出荷後、２台目のＨＤＤを増設する場合、既に筐体１０に取付けられているブラケット３２に対し、上記と同様の操作によりＨＤＤを挿入し所定位置に装填した後、固定ねじ５７によりねじ止めする。
【００２６】
一方、例えば交換やメンテナンスの目的でＨＤＤ３０を筐体１０内から取り外す場合、上記と逆の操作により、筐体１０のボトムパネル２０に設けられた挿通孔５５を通して筐体の外側からドライバを挿通し、固定ねじ５７を外してＨＤＤ３０の固定を解除した後、ＨＤＤ３０をブラケット３２から引き抜くことにより、取出すことができる。
【００２７】
以上のように構成されたコンピュータによれば、ブラケット３２に対してＨＤＤを取付ける際、ハードディスクドライブの片側を突起部によって保持し、他側のみをねじ止めする構成としたことから、ブラケット３２を筐体から取り外すことなく、ＨＤＤ３０を筐体１０内に取付けおよび取り外しすることができ、ＨＤＤの取付け、交換、増設を容易に行うことができる。従って、コンピュータ本体の組立て、分解時の作業性を向上することができるとともに、リサイクル性の向上を図ることが可能となる。同時に、ユーザにおいても、熟練を要することなくＨＤＤを容易に増設することが可能となる。
また、筐体の外側からブラケットのねじ止め部にアクセス可能なドラバ挿通用の挿通孔を筐体に設けることにより、コンピュータの組立て、分解作業性を一層向上することができる。
【００２８】
なお、この発明は上述した実施の形態に限定されることなく、この発明の範囲内で種々変形可能である。例えば、上述した実施の形態において、ブラケットは、筐体のフロントパネルおよびボトムパネルに隣接した状態でサイドパネルに取付ける構成としたが、これに限らず、ブラケットは筐体の他の壁部に取付けても良い。また、筐体に設けられたドライバ挿通用の透孔は、ボトムパネルに限らず、ブラケットの取付け位置に応じて種々選択可能である。更に、記憶装置は、ＨＤＤに限らず、ＣＤドライブ等の他の記憶装置を適用することができる。
【００２９】
【発明の効果】
以上詳述したように、本発明によれば、記憶装置の取り付けおよび取り外しを容易に行うことが可能な記憶装置固定用ブラケットを備えた電子機器を提供することができる。
【図面の簡単な説明】
【図１】この発明の実施の形態にデスクトップコンピュータ本体を示す斜視図。
【図２】サイドパネルを取り外して上記コンピュータ本体の内部を示す斜視図。
【図３】サイドパネルを取り外して上記コンピュータ本体の内部を側面図。
【図４】上記本体の内部、およびＨＤＤ装着部のブラケットを示す分解斜視図。
【図５】上記ブラケットおよびＨＤＤを示す分解斜視図。
【図６】上記ブラケットおよびＨＤＤを示す分解斜視図。
【図７】上記ブラケットにＨＤＤを装着した状態を一部破断して示す側面図。
【図８】上記ブラケット、ＨＤＤおよび上記本体のボトムパネル側を示す斜視図。
【符号の説明】
１０…筐体
１２…フロントパネル
１６…サイドパネル
２０…ボトムパネル
３０…ＨＤＤ
３２…ブラケット
３２ａ…挿入口
３４…ケース
３５、３６…ねじ孔
３８…鍔付きねじ
５０、５４…透孔
５２…スリット
５５…挿通孔
５７、６４…固定ねじ
６０…係合部
６１…位置決め部
【図１】
0003648471.tif 000002
【図２】
0003648471.tif 000003
【図３】
0003648471.tif 000004
【図４】
0003648471.tif 000005
【図５】
0003648471.tif 000006
【図６】
0003648471.tif 000007
【図７】
0003648471.tif 000008
【図８】
0003648471.tif 000009